(57)【要約】      （修正有）【課題】本発明は、ガスタービンエンジンと共に使用する多種燃料供給システムを提供する。【解決手段】多種燃料供給システム１００は、内部に第１の燃料１２０が入った第１の燃料タンク１１０と、内部に第２の燃料１８０が入った第２の燃料タンク１７０と、混合室１３０と、混合室１３０の下流の分流器２５０とを含む。第１の燃料タンク１１０は、第１の燃料ポンプ１４０を介して混合室１３０と連通し、第２の燃料タンク１７０は、第２の燃料ポンプ１９０を介して混合室１３０と連通している。【選択図】図３
2014077440.tif 000002
【特許請求の範囲】
【請求項１】
ガスタービンエンジンと共に使用する多種燃料供給システムであって、
内部に第１の燃料が入った第１の燃料タンクと、
内部に第２の燃料が入った第２の燃料タンクと、
混合室とを備え、
前記第１の燃料タンクは、第１の燃料ポンプを介して前記混合室と連通し、
前記第２の燃料タンクは、第２の燃料ポンプを介して前記混合室と連通し、
前記混合室の下流の分流器を更に備えている、
多種燃料供給システム。
【請求項２】
前記第１の燃料はディーゼル燃料であり、前記第２の燃料はバイオディーゼル燃料である、請求項１に記載の多種燃料供給システム。
【請求項３】
前記混合室は、１つ以上の角度付き逆流ノズルを含む、請求項１に記載の多種燃料供給システム。
【請求項４】
前記第１のポンプ、前記第２のポンプ、及び主燃料ポンプと連通している燃料最適制御装置を更に含む、請求項１に記載の多種燃料供給システム。
【請求項５】
前記第１の燃料はディーゼル燃料であり、前記第２の燃料はナフサ燃料である、請求項１に記載の多種燃料供給システム。
【請求項６】
内部に大量の潤滑剤が入った注油タンクを更に含む、請求項１に記載の多種燃料供給システム。
【請求項７】
前記注油タンクは、注油ポンプを介して前記第２のポンプと連通している、請求項６に記載の多種燃料供給システム。
【請求項８】
前記注油タンクは、注油ポンプを介して前記混合室と連通している、請求項６に記載の多種燃料供給システム。
【請求項９】
前記注油タンクは、前記混合室の下流の三方弁と連通している、請求項６に記載の多種燃料供給システム。
【請求項１０】
前記第２の燃料ポンプの下流のフィルターを更に含む、請求項１に記載の多種燃料供給システム。
【請求項１１】
前記第２の燃料ポンプの下流の冷却ブランケットを更に含む、請求項１に記載の多種燃料供給システム。
【請求項１２】
前記分流器は、前記ガスタービンエンジンの１つ以上の燃焼器缶と連通している１つ以上の燃料管を含む、請求項１に記載の多種燃料供給システム。
【請求項１３】
前記第２の燃料に対する前記第１の燃料の比率は、約０％〜１００％にわたる、請求項１に記載の多種燃料供給システム。
【請求項１４】
前記第１の燃料に対する前記第２の燃料の比率は、約０％〜１００％にわたる、請求項１に記載の多種燃料供給システム。
【請求項１５】
ガスタービンエンジン用の多種燃料供給システムの操作方法であって、
大量の第１の燃料を提供するステップと、
大量の第２の燃料を提供するステップと、
前記第１の燃料と前記第２の燃料の比率を選択するステップと、
前記比率の前記第１の燃料と前記第２の燃料を混合室に送給して、混合流を発生させるステップと、
前記混合流を分流器に送給して前記ガスタービンエンジン内で燃焼させるステップとを含む、
多種燃料供給システムの操作方法。
【請求項１６】
ガスタービンエンジンと共に使用する多種燃料供給システムであって、
内部に第１の燃料が入った第１の燃料タンクと、
内部に第２の燃料が入った第２の燃料タンクと、
１つ以上の角度付き逆流ノズルを備えて混合流を発生させる混合室とを備え、
前記第１の燃料タンクは、第１の燃料ポンプを介して前記混合室と連通し、
前記第２の燃料タンクは、第２の燃料ポンプを介して前記混合室と連通し、
前記ガスタービンエンジンの複数の燃焼器缶に前記混合流を提供するための前記混合室の下流の分流器を更に備えている、
多種燃料供給システム。
【請求項１７】
前記第１の燃料はディーゼル燃料であり、前記第２の燃料はバイオディーゼル燃料である、請求項１６に記載の多種燃料供給システム。
【請求項１８】
前記第１の燃料はディーゼル燃料であり、前記第２の燃料はナフサ燃料である、請求項１６に記載の多種燃料供給システム。
【請求項１９】
前記第１のポンプ、前記第２のポンプ、及び主燃料ポンプと連通している燃料最適制御装置を更に含む、請求項１６に記載の多種燃料供給システム。
【請求項２０】
前記第２の燃料に対する前記第１の燃料の比率は約０％〜１００％にわたり、且つ／又は、前記第１の燃料に対する前記第２の燃料の比率は約０％〜１００％にわたる、請求項１６に記載の多種燃料供給システム。
【発明の詳細な説明】
【技術分野】
【０００１】
本発明は、概して、ガスタービンエンジンに関し、より詳細には、多種燃料及びそれらの混合物で作動可能な、多種燃料供給システムを備えたガスタービンエンジンに関する。
【背景技術】
【０００２】
ヘビーデューティーガスタービンエンジンは、多数の異なる燃料で作動可能である。その燃料は、重油、ナフサ、留出油、フレアガス、合成ガス、埋立地ガス、天然ガス、及び他の種類の燃料並びに／又はそれらの混合物にわたる。したがって、発電所は、二元燃料性能を備えたガスタービンエンジンを有する場合があり、有効性、価格、及び作動パラメータに応じて、例えば、ディーゼルガスと天然ガスで作動可能である。
【０００３】
石油系燃料の価格の変動が大きいことを考えると、代替燃料及びそれらの混合物の利用の増加に対する関心が集まっている。例えば、ナフサなどは一般に、より低価格の代替燃料であると考えられている。しかしながら、ナフサとディーゼル燃料の間の粘度差によって、ナフサを使用するように既存の燃焼システムを変えることが難しくなることがある。同様に、様々な種類のバイオ燃料も利用が増加している。しかしながら、バイオ燃料とディーゼル燃料は一般に、燃焼の前に予混合しなければならない。そのような混合物は多数の様々な手法で予混合されるが、それらの手法は特定の比率を変える柔軟性には欠けている場合がある。
【先行技術文献】
【特許文献】
【０００４】
【特許文献１】米国特許第８１８３４１９号
【発明の概要】
【発明が解決しようとする課題】
【０００５】
したがって、多種燃料及びそれらの混合物の調合とガスタービンエンジンへの供給を正確に行うためのシステム及び方法が望まれている。そのようなシステム及び方法は、多種燃料及びそれらのどんな種類の混合物でも作動するようにガスタービンに燃料柔軟性を提供することができる。
【課題を解決するための手段】
【０００６】
したがって、本発明は、ガスタービンエンジンと共に使用する多種燃料供給システムを提供する。この多種燃料供給システムは、内部に第１の燃料が入った第１の燃料タンクと、内部に第２の燃料が入った第２の燃料タンクと、混合室と、混合室の下流の分流器とを含む。第１の燃料タンクは、第１の燃料ポンプを介して混合室と連通し、第２の燃料タンクは、第２の燃料ポンプを介して混合室と連通している。
【０００７】
本発明は更に、ガスタービンエンジン用の多種燃料供給システムの操作方法を提供する。この方法は、大量の第１の燃料を提供するステップと、大量の第２の燃料を提供するステップと、第１の燃料と第２の燃料の比率を選択するステップと、その比率の第１の燃料と第２の燃料を混合室に送給して、混合流を発生させるステップと、混合流を分流器に送給してガスタービンエンジン内で燃焼させるステップとを含む。
【０００８】
本発明は更に、ガスタービンエンジンと共に使用する多種燃料供給システムを提供する。この多種燃料供給システムは、内部に第１の燃料が入った第１の燃料タンクと、内部に第２の燃料が入った第２の燃料タンクと、１つ以上の角度付き逆流ノズルを備えて混合流を発生させる混合室と、混合室の下流の分流器とを含む。第１の燃料タンクは、第１の燃料ポンプを介して混合室と連通し、第２の燃料タンクは、第２の燃料ポンプを介して混合室と連通している。分流器は、ガスタービンエンジンの複数の燃焼器缶に混合流を提供する。
【０００９】
本発明のこれら及びその他の特徴及び改良点は、幾つかの図及び添付の特許請求の範囲に関連してなされる以下の詳細な説明を検討することで当業者には明らかになるであろう。
【図面の簡単な説明】
【００１０】
【図１】ガスタービンエンジンの概略図であり、圧縮機、燃焼器、タービン、及び負荷を示している。
【図２】燃焼器と共に使用する燃料供給システムの概略図である。
【図３】本明細書において説明される多種燃料供給システムの概略図である。
【図４】図３の多種燃料供給システムにおいて使用される混合室の概略図である。
【図５】本明細書において説明される多種燃料供給システムの代替的実施形態の概略図である。
【発明を実施するための形態】
【００１１】
次に、幾つかの図を通して同様の数字が同様の要素を示す図面を参照すると、図１は、本明細書において使用されるガスタービンエンジン１０の概略図を示している。ガスタービンエンジン１０は、圧縮機１５を含む。圧縮機１５は、空気２０の流入流を圧縮する。圧縮機１５は、空気２０の圧縮流を複数の燃焼器缶２５に供給する。燃焼器缶２５は、空気２０の圧縮流を燃料３０の加圧流と混合し、混合物に点火して燃焼ガス３５の流れを発生させる。単一の燃焼器缶２５だけが示されているが、ガスタービンエンジン１０は任意の数の燃焼器缶２５を含むことができる。燃焼ガス３５の流れは次いで、タービン４０に供給される。燃焼ガス３５の流れは、タービン４０を駆動して機械的仕事を発生する。タービン４０で発生した機械的仕事は、シャフト４５及び外部負荷５０（例えば、発電機など）を介して圧縮機１５を駆動する。
【００１２】
ガスタービンエンジン１０は、天然ガス、ディーゼル燃料、各種合成ガス、及び／又は他の種類の燃料を使用することができる。ガスタービンエンジン１０は、ニューヨーク州スケネクタディのゼネラル・エレクトリック・カンパニーによって提供される多数の様々なガスタービンエンジンのいずれか１つであってよく、フレーム７又はフレーム９シリーズのヘビーデューティーガスタービンエンジンなどを含むが、これに限定されるものではない。ガスタービンエンジン１０は、様々な構成を有してもよく、他の種類の構成要素を使用してもよい。ここでは、他の種類のガスタービンエンジンを使用することもできる。ここでは、複数のガスタービンエンジン、他の種類のタービン、及び他の種類の発電装置を組み合わせて使用することもできる。
【００１３】
図２は、燃焼器２５と共に使用する燃料供給システム５５を示している。ディーゼル燃料とナフサのような燃料混合物を使用する場合、燃料は混合タンク６０又は他のどこかで予混合される。混合燃料は、燃料ポンプ６５によって分流器７０に送給される。分流器７０は、使用中の燃焼器缶２５の数に従って燃料の流れを分割する。分流器７０は、複数のマニホルド７５と、燃焼器缶２５と連通している複数の送出燃料管８０とを含む。燃料の流れは、三方弁８５などにおいて複数の他の流れと混合されて、分配弁９５などを介して燃焼器缶２５内の複数の燃料ノズル９０に分配される。本明細書において説明した燃料供給システム５５は、単なる例示を目的としたものである。他にも多くの種類及び構成の燃料供給システムが知られている。
【００１４】
図３は、本明細書において説明される多種燃料供給システム１００を示している。多種燃料供給システム１００は、第１の燃料タンク１１０を含む。この実施例では、第１の燃料タンク１１０は、内部に大量のディーゼル燃料１２０を含んでいる。ディーゼル燃料１２０は、２級ディーゼル燃料などであってよい。ここでは、他の種類の燃料を使用してもよい。第１の燃料タンク１１０は、任意の適切な寸法、形状、又は構成を有してもよい。第１の燃料タンク１１０は、混合室１３０と連通している。第１の燃料タンク１１０は、１つ以上の第１の燃料ポンプ１４０及び１つ以上の第１の燃料管１５０を介して混合室１３０と連通している。第１の燃料ポンプ１４０は、従来設計のものであってよい。複数の第１の燃料管遮断弁１６０を第１の燃料管１５０で使用することもできる。ここでは、その他の構成要素及びその他の構成を使用してもよい。
【００１５】
多種燃料供給システム１００は、第２の燃料タンク１７０を更に含む。第２の燃料タンク１７０は、内部に大量のバイオディーゼル燃料１８０が入っている。ここでは、他の種類の燃料を使用してもよい。第２の燃料タンク１７０は、任意の適切な寸法、形状、又は構成を有してもよい。第２の燃料タンク１７０は、１つ以上の第２の燃料管２００に配置された１つ以上の第２の燃料ポンプ１９０を介して混合室１３０と連通している。第２の燃料ポンプ１９０は、従来設計のものであってよい。複数の第２の燃料管遮断弁２１０を第２の燃料管２００に使用することもできる。ここでは、その他の構成要素及びその他の構成を使用してもよい。
【００１６】
図４は、混合室１３０の一例を示している。混合室は、バイオディーゼル燃料１８０の流れ又は他の種類の二次流れのための複数の角度付き逆流ノズル２２０を含んでいる。バイオディーゼル燃料１８０の流れは、角度付き逆流ノズル２２０を介してある角度をなしてディーゼル燃料１２０の流入流又は他の種類の一時流れに噴射されて、可動部品を用いることなくそこに良好に混合される。良好な混合は、ディーゼル燃料１２０の流れと比べてより高い圧力でバイオディーゼル燃料１８０の流れを噴射することによっても得られる。混合室１３０は、任意の寸法、形状、又は構成を有してもよい。混合室弁２２５を混合室の周囲に配置して、混合室の排水を可能にしてもよい。
【００１７】
混合流２３０はこのようにして混合室１３０から出ることができる。混合流２３０は、主燃料ポンプ２４０によって分流器２５０に送給される。上記のように、分流器２５０は、複数のマニホルド２６０及び複数の送出燃料管２７０を含む。送出燃料管２７０は、上記のように燃焼用の燃焼器缶２５と連通している。ここでは、その他の構成要素及びその他の構成を使用してもよい。
【００１８】
多種燃料供給システム１００は、燃料最適制御装置２８０を介して作動される。燃料最適制御装置２８０は、要求された燃料を燃焼器缶２５に提供するだけでなく、それらの混合物の適切な比率を与えることができる。この比率は、所定のスケジュールに基づくものであってもよく、作動条件や他の種類のパラメータに基づいて変化させてもよい。燃料最適制御装置２８０は、あらゆる種類のプラグラム可能論理回路であってよく、ガスタービンエンジン用の全体制御システムと連通させてもよい。
【００１９】
使用中、１００％のディーゼル燃料１２０が要求された場合、燃料最適制御装置２８０は、第１の燃料ポンプ１４０にディーゼル燃料１２０を混合室１３０に送給するように指示し、主燃料ポンプ２４０にディーゼル燃料１２０を分流器２５０に送給するように指示する。同様に、１００％のバイオディーゼル燃料１８０が要求された場合、そのとき燃料最適制御装置２８０は、第２の燃料ポンプ１９０にバイオディーゼル燃料１８０を混合室１３０に送給するように指示し、主燃料ポンプ２４０にバイオディーゼル燃料１８０を分流器２５０に送給するように指示する。
【００２０】
燃料の混合物が要求された場合、燃料最適制御装置２８０は、所定の比率やその他のパラメータに基づいて適切な比率を選択することができる。燃料最適制御装置２８０は、第１の燃料ポンプ１４０に適切な量のディーゼル燃料１２０を混合室１３０に送給するように指示し、第２の燃料ポンプ１９０に適切な量のバイオディーゼル燃料１８０を混合室１３０に送給するように指示する。ディーゼル燃料１２０とバイオディーゼル燃料１８０は、角度付き逆流ノズル２２０を用いて混合室１３０内で混合される。得られた混合流２３０は、要求された比率の燃料の均質混合物となる。燃料最適制御装置２８０は、主燃料ポンプ２４０に混合流２３０を分流器２５０に送給して燃焼器缶２５内で燃焼させるように指示する。多種燃料供給システム１００はこのようにして、約０％から１００％まで任意の比率の各燃料、即ち、Ｂ２０（２０％のバイオディーゼル燃料１８０と８０％のディーゼル燃料１２０）、Ｂ３０（３０％のバイオディーゼル燃料１８０と７０％のディーゼル燃料１２０）などを提供することができる。更に、ここでは、この比率を作動条件やその他のパラメータに基づいて変更してもよい。
【００２１】
図５は、本明細書において説明される多種燃料供給システム３００の更なる実施形態を示している。多種燃料供給システム３００は、第１の燃料タンク３１０を含む。第１の燃料タンク３１０は、大量のディーゼル燃料３２０を含んでいる。ディーゼル燃料３２０は、２級ディーゼル燃料、バイオディーゼル燃料などであってよい。ここでは、他の種類の燃料を使用してもよい。第１の燃料タンク３１０は、適切な寸法、形状、又は構成を有している。第１の燃料タンク３１０は、混合室３３０と連通している。混合室３３０は、上記の混合室１３０と同様であってよい。第１の燃料タンク３１０は、１つ以上の第１の燃料管３５０上の１つ以上の第１の燃料ポンプ３４０を介して混合室３３０と連通している。第１の燃料ポンプ３４０は、従来設計のものであってよい。複数の第１の燃料管遮断弁３６０を第１の燃料管３５０に使用してもよい。ここでは、その他の構成要素及びその他の構成を使用してもよい。
【００２２】
多種燃料供給システム３００は、第２の燃料タンク３７０を更に含む。第２の燃料タンク３７０は、内部に大量のナフサ燃料３８０が入っている。ここでは、他の種類の燃料を使用してもよい。第２の燃料タンク３７０は、任意の適切な寸法、形状、又は構成を有してもよい。第２の燃料タンク３７０は、１つ以上の燃料管４００に配置された１つ以上の第２の燃料ポンプ３９０を介して混合室３３０と連通している。第２の燃料ポンプ３９０は、従来設計のものであってよい。複数の燃料管遮断弁４１０は、第２の燃料管４００に配置される。ここでは、その他の構成要素及びその他の構成を使用してもよい。
【００２３】
ナフサ３８０の性質に因り、第２の燃料管４００のうちの１つ以上がその上に冷却ブランケット４２０を含んでいる。冷却ブランケット４２０は、高温の場所で使用される。１つ以上の第２の燃料管４００は、ナフサ３８０の流れのための複数のストレーナー又はフィルター４３０を更に含む。１つの三方フィルター弁４３５と一対の下流フィルター弁４３６を用いてフィルター４３０のうちの１つを冗長なフィルター４３０と同時に使用して、高いシステム可用性及び使用信頼度を確保することができる。ここでは、その他の構成要素及びその他の構成を使用することもできる。
【００２４】
燃料供給システム３００は、注油タンク４４０を更に含む。注油タンク４４０は、内部に大量の潤滑剤が入っている。ここでは、様々な種類の潤滑剤を使用してもよい。注油タンク４４０は、任意の適切な寸法、形状、又は構成を有してもよい。注油タンク４４０は、第２の燃料ポンプ３９０のすぐ上流で第２の燃料管４００と連通している。注油タンク４４０は、１つ以上の注油ポンプ４６０及び１つ以上の第１の注油管４７０を介して第２の燃料管４００と連通している。注油ポンプ４６０は、従来設計のものであってよい。複数の注油管遮断弁４８０は、第１の注油管４７０に配置される。注油タンク４４０は更に、第２の注油管４９０及び三方弁５００を介して混合室３３０と混合室３３０の下流で連通している。ここでは、他の種類の継手などを使用して、流れを合流させてもよい。ここでは、様々な量の潤滑剤４５０を使用してもよい。ここでは、その他の構成要素及びその他の構成を使用してもよい。
【００２５】
ナフサ３８０の流れと潤滑剤４５０の第１の流れはこのようにして、第２の燃料ポンプ３９０の上流で混合して、ナフサ混合物５１０を発生させることができる。ナフサ混合物５１０は、第２の燃料管３５０及びフィルター４３０を介して混合室３３０へと流れる。同様に、ディーゼル燃料３２０の流れは、第１の燃料管３５０を介して混合室３３０へと流れる。ナフサ混合物３１０とディーゼル燃料３２０の流れは、上記したのと同様の方法で、混合室３３０内で混合する。混合流５１０はこのようにして混合室３３０から出ることができ、三方弁５００又は他のどこかで潤滑剤４５０の更なる流れと更に混合される。混合流５２０は、主燃料ポンプ５３０によって分流器５４０に送給されて上記のように燃焼する。ここでは、その他の構成要素及びその他の構成を使用することもできる。
【００２６】
使用中、１００％のディーゼル燃料３２０が要求された場合、そのとき燃料最適制御装置２８０は、第１の燃料ポンプ３４０にディーゼル燃料３２０を混合室３３０に送給するように指示し、主燃料ポンプ５３０にディーゼル燃料３２０を分流器５４０に送給するように指示する。或いは、バイパス管５５０が複数のバイパス弁５６０を介して混合室３３０をバイパスしてもよい。１００％のナフサ３８０が要求された場合、燃料最適制御装置２８０は、注油ポンプ４６０に潤滑剤４５０を第２の燃料管４００及び／又は三方弁５００に送給するように指示して、ナフサ３８０の粘度を補うだけでなく、主燃料ポンプ５３０及び分流器５４０に対する腐食を軽減することができる。潤滑剤４５０が十分に流れていると、そのとき燃料最適制御装置２８０は、第２の燃料ポンプ３９０にナフサ３８０を混合室３３０に送給するように指示し、主燃料ポンプ５３０にナフサ３８０を分流器５４０に送給するように指示する。
【００２７】
ディーゼル燃料３２０とナフサ３８０の混合物が要求された場合、ナフサは一般に始動燃料として利用されない。そのため、燃料最適制御装置２８０は、第１の燃料ポンプ３４０にディーゼル燃料３２０を混合室３３０に送給するように指示し、主燃料ポンプ５３０にディーゼル燃料３２０を分流器５４０に送給するように指示する。燃料最適制御装置２８０は次いで、注油ポンプ４８０に潤滑剤４５０を第２の燃料管４００及び／又は三方弁５００に送給するように指示する。燃料最適制御装置２８０は次いで、第２の燃料ポンプ３９０にナフサ３８０を混合室３３０に送給するように指示する。ディーゼル燃料３２０とナフサ３８０は、混合室３３０内で混合する。混合流５２０は次いで、分流器５３０に送給されて燃焼器缶２５内で燃焼する。ディーゼル燃料３２０に対するナフサ３８０の混合は任意の比率であってよいが、一般に約５％〜約２０％の範囲であってよい。この比率は、作動条件やその他のパラメータによって変化させてもよい。ここでは、その他の構成要素及びその他の構成を使用してもよい。
【００２８】
したがって、本明細書において説明した多種燃料供給システム１００，３００は、ガスタービンエンジンに燃料柔軟性を提供して、多くの異なる燃料及びそれらの混合物を燃焼させる。多種燃料供給システム１００を多種燃料供給システム３００と組み合わせて、更なる柔軟性を得ることもできる。ここでは、多くの異なる燃料を任意の数の燃料タンクにおいて使用してもよい。ここでは、必要となる残留燃料の十分な除去を確実にするために、多くの異なる洗浄技術を用いてもよい。例えば、洗浄弁５８０を備えた洗浄管５７０を第１の燃料管３５０から第２の燃料管４００まで延在させてもよい。ディーゼル燃料３２０の流れを用いて、ナフサ混合物５１０を第２の燃料管４００及びフィルター４３０などから洗い流すことができる。
【００２９】
本明細書において説明したポンプ及び弁の全ては、可用性及び信頼性を提供するために冗長性をもっている。どんなときでも、１つだけのポンプと弁の組み合わせが使用中となる。燃料最適制御装置２８０は、主燃料ポンプ５３０や他のどこかに通じる全ての管においてヘッダー圧力と流量を監視することができる。したがって、制御装置２８０は、この圧力及び流量情報を用いて、燃料又は潤滑剤４５０を有効なポンプから混合室３３０に移すタイミングを決定して、所定のシステム圧力及び流量要件を得ることができる。同様に、制御装置２８０は、ディーゼル燃料だけの流れに戻るとき、適切な弁を開閉してシステムをパージすることができる。
【００３０】
上述の内容は、本発明の特定の実施形態のみに関連していることを理解されたい。当業者は、以下の特許請求の範囲及びその等価物によって規定される本発明の一般的な技術的思想及び技術的範囲から逸脱することなく、本明細書において多くの変更及び修正を行うことができる。
【符号の説明】
【００３１】
１０  ガスタービンエンジン
１５  圧縮機
２０  空気
２５  燃焼器缶
３０  燃料
３５  燃焼ガス
４０  タービン
４５  シャフト
５０  負荷
５５  燃料供給システム
６０  混合タンク
６５  燃料ポンプ
７０  分流器
７５  マニホルド
８０  燃料管
８５  三方弁
９０  燃料ノズル
９５  分配弁
１００  多種燃料供給システム
１１０  第１の燃料タンク
１２０  ディーゼル燃料
１３０  混合室
１４０  第１の燃料ポンプ
１５０  第１の燃料管
１６０  遮断弁
１７０  第２の燃料タンク
１８０  バイオディーゼル燃料
１９０  第２の燃料ポンプ
２００  第２の燃料管
２１０  遮断弁
２２０  角度付き逆流ノズル
２２５  混合室弁
２３０  混合流
２４０  主燃料ポンプ
２５０  分流器
２６０  マニホルド
２７０  燃料管
２８０  燃料最適制御装置
３００  多種燃料供給システム
３１０  第１の燃料タンク
３２０  ディーゼル燃料
３３０  混合室
３４０  第１の燃料ポンプ
３５０  第１の燃料管
３６０  遮断弁
３７０  第２の燃料タンク
３８０  ナフサ
３９０  第２の燃料ポンプ
４００  第２の燃料管
４１０  遮断弁
４２０  冷却ブランケット
４３０  フィルター
４３５  三方フィルター弁
４３６  下流フィルター弁
４４０  注油タンク
４５０  潤滑剤
４６０  注油ポンプ
４７０  第１の注油管
４８０  遮断弁
４９０  第２の注油管
５００  三方弁
５１０  ナフサ混合物
５２０  混合物
５３０  主燃料ポンプ
５４０  分流器
５５０  バイパス管
５６０  バイパス弁
５７０  洗浄管
５８０  洗浄弁
【図１】
2014077440.tif 000003
【図２】
2014077440.tif 000004
【図３】
2014077440.tif 000005
【図４】
2014077440.tif 000006
【図５】
2014077440.tif 000007